【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
複数の流体成分の混合物をディスペンスするように構成された流体ディスペンサに関して使用するための装置であって、
第１及び第２流体成分を受容するように構成された流体路を規定する延長管状本体部と、前記流体路内に位置する複数の混合バッフルと、を含む静的ミキサ
を備えており、
前記複数の混合バッフルは、前記流体路内に受容された時に前記第１及び第２流体成分を混合するように構成されており、
前記静的ミキサの前記延長管状本体部と前記複数の混合バッフルは、一部品として一体的に形成されている
ことを特徴とする装置。
【請求項２】
請求項１に記載された装置と、
前記第１流体成分を保持するための第１チャンバを規定する第１シリンダと、前記第２流体成分を保持するための第２チャンバを規定する第２シリンダと、と含むカートリッジと、
を備え、
前記カートリッジは、前記第１及び第２チャンバにそれぞれ流体連通すると共に選択的に前記静的ミキサの前記流体路と流体連通する第１及び第２流体出口を含んでいる
ことを特徴とするディスペンシングシステム。
【請求項３】
前記カートリッジの前記第１及び第２シリンダは、前記静的ミキサの前記延長管状本体部及び前記複数の混合バッフルと一部品として一体的に形成されている
ことを特徴とする請求項２に記載のディスペンシングシステム。
【請求項４】
前記第１流体出口と前記流体路との間に位置決めされた第１の崩壊可能な閉塞部材と、
前記第２流体出口と前記流体路との間に位置決めされた第２の崩壊可能な閉塞部材と、
を更に備え、
前記第１及び第２の崩壊可能な閉塞部材は、前記カートリッジ及び前記静的ミキサと一部品として一体的に形成されており、
前記第１及び第２の崩壊可能な閉塞部材は、前記第１及び第２流体成分の前記静的ミキサ内への流れを遮断するように最初は閉じられている
ことを特徴とする請求項３に記載のディスペンシングシステム。
【請求項５】
前記第１及び第２の崩壊可能な閉塞部材は、それぞれ、更に、
崩壊可能な外側部と、
ヒンジ状の内側部と、
を有している
ことを特徴とする請求項４に記載のディスペンシングシステム。
【請求項６】
前記第１及び第２の崩壊可能な閉塞部材の各々の前記崩壊可能な外側部は、前記第１及び第２流体出口に隣接する前記カートリッジの内部壁に取り付けられている
ことを特徴とする請求項５に記載のディスペンシングシステム。
【請求項７】
前記カートリッジは、更に、
前記第１及び第２流体出口を分離するディバイダ
を有しており、
前記第１及び第２の崩壊可能な閉塞部材の各々の前記ヒンジ状の内側部は、前記ディバイダに取り付けられている
ことを特徴とする請求項５に記載のディスペンシングシステム。
【請求項８】
前記第１及び第２の崩壊可能な閉塞部材の各々の前記崩壊可能な外側部は、前記第１及び第２チャンバ内の前記第１及び第２流体成分に閾値の圧力が適用される時に崩壊するよう設計された厚みを規定している
ことを特徴とする請求項５に記載のディスペンシングシステム。
【請求項９】
前記第１及び第２の崩壊可能な閉塞部材の各々の前記ヒンジ状の内側部は、前記閾値の圧力に崩壊しないで耐えるように設計された厚みを規定しており、それによって前記第１及び第２の崩壊可能な閉塞部材の回動運動を可能にして前記流体路内への前記第１及び第２流体出口からの流れの開放を可能にしている
ことを特徴とする請求項８に記載のディスペンシングシステム。
【請求項１０】
前記閾値の圧力は、約１００ｐｓｉである
ことを特徴とする請求項８に記載のディスペンシングシステム。
【請求項１１】
前記閾値の圧力は、ディスペンシング動作中に前記第１及び第２流体成分に適用されるディスペンシング圧力未満であり、
前記閾値の圧力は、当該ディスペンシングシステムの船積み及び搬送中に適用される力よりも大きい
ことを特徴とする請求項８に記載のディスペンシングシステム。
【請求項１２】
少なくとも１つの流体ディスペンサ部
を更に備え、
前記カートリッジ、前記静的ミキサ、及び、前記少なくとも１つの流体ディスペンサ部は、一部品として一体的に形成されている
ことを特徴とする請求項３に記載のディスペンシングシステム。
【請求項１３】
前記少なくとも１つの流体ディスペンサ部は、
前記カートリッジの前記第１及び第２シリンダに接続されたレセプタクルと、
ハンドルと、
の少なくとも一方を有する
ことを特徴とする請求項１２に記載のディスペンシングシステム。
【請求項１４】
前記複数の混合バッフルは、複数のアンダーカットを規定する少なくとも２つの異なる種類の混合バッフルを含んでいる
ことを特徴とする請求項１に記載のディスペンシングシステム。
【請求項１５】
前記静的ミキサから前記第１及び第２流体成分を受容するように構成されたディスペンシングチップを有するノズル
を更に備え、
前記静的ミキサ及び前記ディスペンサチップは、一部品として一体的に形成されている
ことを特徴とする請求項１に記載のディスペンシングシステム。
【請求項１６】
流体ディスペンサに関して使用するための装置を製造する方法であって、
静的ミキサを形成するべく、コンピュータ制御下で、材料の連続する層ないしドットを横たえていく工程
を備え、
当該材料の連続する層ないしドットを横たえていく工程は、
前記静的ミキサを、第１及び第２流体成分を受容するように構成された流体路を規定する延長管状本体部と、前記流体路内に位置する複数の混合バッフルと、を含むように形成する工程
を更に有しており、
前記複数の混合バッフルは、前記流体路内に受容された時に前記第１及び第２流体成分を混合するように構成され、
前記静的ミキサの前記延長管状本体部と前記複数の混合バッフルは、一部品として一体的に形成される
ことを特徴とする方法。
【請求項１７】
カートリッジを形成するべく、コンピュータ制御下で、材料の連続する層ないしドットを横たえていく工程
を更に備え、
当該カートリッジを形成するべく材料の連続する層ないしドットを横たえていく工程は、
前記カートリッジを、前記第１流体成分を保持するための第１チャンバを規定する第１シリンダと、前記第２流体成分を保持するための第２チャンバを規定する第２シリンダと、を含むように形成する工程
を更に有しており、
前記カートリッジは、前記第１及び第２チャンバにそれぞれ流体連通すると共に選択的に前記静的ミキサの前記流体路と流体連通する第１及び第２流体出口を含む
ことを特徴とする請求項１６に記載の方法。
【請求項１８】
前記カートリッジ及び前記静的ミキサを一部品として一体的に形成する工程と、
前記第１流体出口と前記流体路との間に位置決めされた第１の崩壊可能な閉塞部材を形成する工程と、
前記第２流体出口と前記流体路との間に位置決めされた第２の崩壊可能な閉塞部材を形成する工程と、
を更に備え、
前記第１及び第２の崩壊可能な閉塞部材は、前記カートリッジ及び前記静的ミキサと一部品として一体的に形成され、
前記第１及び第２の崩壊可能な閉塞部材は、前記第１及び第２流体成分の前記静的ミキサ内への流れを遮断するように最初は閉じられる
ことを特徴とする請求項１７に記載の方法。
【請求項１９】
前記カートリッジ及び前記静的ミキサと一部品として一体的に形成されるように、少なくとも１つの流体ディスペンサ部を形成する工程
を更に備えたことを特徴とする請求項１８に記載の方法。
【請求項２０】
前記少なくとも１つの流体ディスペンサ部を形成する工程は、
前記カートリッジの前記第１及び第２シリンダに接続されたレセプタクルと、
ハンドルと、
の少なくとも一方を形成する工程
を更に含むことを特徴とする請求項１９に記載の方法。
【請求項２１】
流体ディスペンサに関して使用するための装置を製造するコンピュータ実施方法であって、
当該装置のための源のモデルと、当該装置のための複数の規定制御点と、をデータベースから読み出す工程と、
前記装置の製造のための印刷指令を自動的に生成する工程と、
を備え、
前記印刷指令は、コンピュータ制御される３次元プリンタによって実施される時、付加製造によって、前記装置を、
第１及び第２流体成分を受容するように構成された流体路を規定する延長管状本体部と、前記流体路内に位置する複数の混合バッフルと、を含む静的ミキサ
を有し、
前記複数の混合バッフルは、前記流体路内に受容された時に前記第１及び第２流体成分を混合するように構成されており、
前記静的ミキサの前記延長管状本体部と前記複数の混合バッフルは、一部品として一体的に形成されている
というように生産する
ことを特徴とする方法。
【請求項２２】
前記印刷指令は、コンピュータ制御される３次元プリンタによって実施される時、付加製造によって、前記装置を、
前記第１流体成分を保持するための第１チャンバを規定する第１シリンダと、前記第２流体成分を保持するための第２チャンバを規定する第２シリンダと、と含むカートリッジを更に備え、
前記カートリッジは、前記第１及び第２チャンバにそれぞれ流体連通すると共に選択的に前記静的ミキサの前記流体路と流体連通する第１及び第２流体出口を含んでいる
というように生産する
ことを特徴とする請求項２１に記載の方法。
【請求項２３】
前記カートリッジの前記第１及び第２シリンダは、前記静的ミキサの前記延長管状本体部及び前記複数の混合バッフルと一部品として一体的に形成される
ことを特徴とする請求項２２に記載の方法。